(57)【特許請求の範囲】
【請求項１】
ワイヤレス電力設備を統合しているシステムであって、前記デバイスは、
主要な非ワイヤレス電力関連機能を実行するように構成されるベース装置であって、
前記ベース装置は、
ディスプレイ層と、
前記ディスプレイ層上に蒸着される光学的に透明なガラス基板層と、
前記ガラス基板層上へ蒸着されるアンテナ層であって、前記アンテナ層は、光学的に透明な導体から成る複数の空間的に配列された、適応的に位相調整されるアンテナを有するアンテナ層と、を含む、ベース装置と、
前記複数のアンテナへ機能的に結合されるワイヤレス電力制御システムとを備え、前記制御システムは、前記複数の空間的に配列された、適応的に位相調整されるアンテナで、電力受信機クライアントから受信したビーコン信号の位相を計測し、当該測定された位相に基づいて、前記電力受信機クライアントにコヒーレントな無線電力信号を伝送するために、前記複数の適応的に位相調整されるアンテナの位相を独立して制御するように構成される、システム。
【請求項２】
前記少なくとも１つの光学的に透明な導体は、インジウムスズ酸化物（ＩＴＯ）、カーボンナノチューブまたはグラフェン層のうちの１つまたはそれ以上を含む、請求項１に記載のシステム。
【請求項３】
前記ベース装置は、さらに、
ハウジングと、
前記ハウジングの表面上に蒸着される追加のアンテナ層と、を含む、請求項１に記載のシステム。
【請求項４】
前記ベース装置は、さらに、
前記ガラス基板層上へ蒸着される前記アンテナ層と、前記ハウジングの前記表面上に蒸着される前記追加のアンテナ層とを分離する接地平面を含む、請求項３に記載のシステム。
【請求項５】
前記ベース装置は、テレビまたはモニタ、家電製品または電子デバイス、窓、壁または家具および／または備品を含む、請求項１に記載のシステム。
【請求項６】
前記制御システムは、前記ベース装置内に埋め込まれる、請求項１に記載のシステム。
【請求項７】
前記ディスプレイ層は、液晶ディスプレイ（ＬＣＤ）または発光ダイオード（ＬＥＤ）ディスプレイを含む、請求項１に記載のシステム。
【請求項８】
前記ワイヤレス電力制御システムは、さらに、
電力中断イベントを検出し、かつ、
前記電力中断イベントに応答して、前記ワイヤレス給電環境におけるワイヤレス電力の受信または伝送を中断するように構成される、請求項１に記載のシステム。
【請求項９】
前記電力中断イベントは、前記ベース装置のタッチスクリーンの使用または顕著な使用を示す、請求項７に記載のシステム。
【請求項１０】
前記ベース装置は、さらに、
前記アンテナ層上に蒸着される透明な保護層と、
前記透明な保護層上に蒸着される表面層と、を含む請求項１に記載のシステム。
【請求項１１】
太陽エネルギーを捕捉して電気エネルギーへ変換するように構成される１つまたは複数の太陽電池と、
前記電気エネルギーを格納するように構成される１つまたは複数のバッテリセルと、をさらに備え、
前記ワイヤレス電力制御システムの動作は、少なくとも部分的に、前記１つまたは複数のバッテリセルに格納される前記電気エネルギーによって給電される、請求項１に記載のシステム。
【請求項１２】
ワイヤレス電力設備を統合しているシステムであって、前記システムは、
ベース装置と、
前記ベース装置の表面上へ蒸着される複数の適応的に位相調整されるアンテナと、
前記複数のアンテナへ機能的に結合される制御回路であって、前記制御回路は、ワイヤレス給電環境においてコヒーレントなワイヤレス電力をクライアントデバイスへ送るために、前記複数の適応的に位相調整されるアンテナの位相を独立して制御するように構成される、制御回路と、を備え、
前記ベース装置は、主要な非ワイヤレス電力関連機能を実行するように構成される、システム。
【請求項１３】
前記ベース装置の前記表面は、ガラス基板を備え、かつ前記複数のアンテナは、光学的に透明な導体から成る、請求項１２に記載のシステム。
【請求項１４】
前記少なくとも１つの光学的に透明な導体は、インジウムスズ酸化物（ＩＴＯ）、カーボンナノチューブまたはグラフェン層のうちの１つまたはそれ以上を含む、請求項１３に記載のシステム。
【請求項１５】
前記ガラス基板は、窓またはディスプレイ装置のうちの一方または双方を備える、請求項１３に記載のシステム。
【請求項１６】
既存のベース装置上にフェーズドアンテナアレイを形成する方法であって、前記方法は、
前記ベース装置を提供することであって、
前記ベース装置は、主要な非ワイヤレス電力関連機能を実行するように構成されることと、
前記ベース装置の表面上へ、少なくとも１つの透明な導体より成る複数のアンテナ素子を備えるアンテナ層を蒸着することであって、
前記アンテナ層は、前記フェーズドアンテナアレイを備えることと、
前記アンテナ層上へ透明な保護層を蒸着すること、を含み、
前記フェーズドアンテナアレイは、コヒーレントなワイヤレス電力をクライアントデバイスへ送るものであって、ワイヤレス電力設備をベース装置へ統合する、方法。
【請求項１７】
前記透明な保護層上に表面層を蒸着することをさらに含む請求項１６に記載の方法。
【発明の詳細な説明】
【技術分野】
【０００１】
本出願は、２０１５年２月１９日に提出された「Ｅｍｂｅｄｄｅｄ  ｏｒ  Ｄｅｐｏｓｉｔｅｄ  Ｓｕｒｆａｃｅ  Ａｎｔｅｎｎａｓ  ｆｏｒ  Ｗｉｒｅｌｅｓｓ  Ｐｏｗｅｒ  Ｄｅｌｉｖｅｒｙ  ｖｉａ  Ｅｘｉｓｔｉｎｇ  Ｏｂｊｅｃｔｓ」と題する米国暫定特許出願第６２／２１１，３８１号明細書に対する優先権を主張し、かつその利益を主張するものであり、前記出願は、本参照により明示的に開示に含まれる。
【背景技術】
【０００２】
ワイヤレス送電システムは、典型的には、スタンドアロン型または離散型のワイヤレス充電器ユニットを備える。これらのワイヤレス送電システムは、最適には、アンテナが空間的に別個であって（例えば、アンテナが広い表面積に渡って分布していて）単一平面に存在しない場合に機能する。即ち、フェ−ズドアレイ送信機の伝送効率は、アレイ内のアンテナの数に比例する。例えば、５メートルの距離において２．４ＧＨｚ信号を用いて高効率で伝送する場合、理論上、９０％を超える効率に達するには、アレイ内に約１００万個のアンテナが必要になる。しかしながら、各アンテナは、近傍アンテナとの直接結合を防止するために一定量のスペースを必要とすることから、ターゲットから約５メートル以内の距離に１００万個のアンテナを置くことは難題である。必然的に、アレイのサイズは、巨大となる可能性がある。
【０００３】
アレイ（または、ワイヤレス充電器）のサイズを縮小するための技術は、様々なものが開示されている。例えば、参照によりその全体が開示に含まれる特許文献１は、フォームファクタが低減された高誘電性アンテナについて論じている。しかしながら、フォームファクタが縮小されても、スタンドアロン型または離散型のワイヤレス充電器ユニットは、外観の悪さおよび／または扱いにくくなることが回避されるだけで、大きさは変わらない。
【先行技術文献】
【特許文献】
【０００４】
【特許文献１】米国特許出願第１４／４６１，３３２号明細書
【発明の概要】
【発明が解決しようとする課題】
【０００５】
したがって、上術の問題点を克服する技術、ならびに付加的な利点を提供する技術が必要とされている。本明細書において提供する幾つかの先行システムまたは関連システムの例およびそれらに関連する限定事項は、例示のためであって、排他的ではないことが意図される。以下の詳細な説明を読めば、当業者には、既存または先行システムの他の限定事項が明らかとなるであろう。
【課題を解決するための手段】
【０００６】
（対応した記載なし）
【０００７】
添付の図面の諸図において、本発明の１つまたは複数の実施形態は、限定ではなく、例として示されている。諸図における類似の参照符号は、類似のエレメントを指す。
【図面の簡単な説明】
【０００８】
【図１】ワイヤレス給電環境の一例を示すブロック図であって、ワイヤレス給電環境内の１つまたは複数のワイヤレス充電器からの様々な無線デバイスへのワイヤレス給電を描いている。
【図２】幾つかの実施形態による、ワイヤレス給電を開始するためのワイヤレス充電器と無線受信機デバイスとの間の動作例を示すシーケンス図である。
【図３】幾つかの実施形態による、ワイヤレス電力送信機のコンポーネント例（充電器またはワイヤレス給電システム）を示すブロック図である。
【図４】幾つかの実施形態による、ワイヤレス電力受信機（クライアント）のコンポーネント例を示すブロック図である。
【図５Ａ】幾つかの実施形態による、ワイヤレス電力／データが、表面アンテナを埋め込んだ、または蒸着した既存のオブジェクトを介して利用可能クライアントへ送られる環境の一例を示す図である。
【図５Ｂ】幾つかの実施形態による、テレビまたはモニタデバイスのより詳細な例を示す。
【図６】幾つかの実施形態による、既存のデバイス内にワイヤレス充電機能を作成または追加するために、既存デバイスの表面に構築され、蒸着されかつ／または別段で埋め込まれたアンテナの一例を示す分解図である。
【図７】幾つかの実施形態による、既存のデバイス内にワイヤレス充電機能を作成または追加するために、既存デバイスの表面に構築され、蒸着されかつ／または別段で埋め込まれたアンテナの別の例の分解図である。
【図８】幾つかの実施形態による、ワイヤレス充電以外の主要機能を有する既存のデバイスまたはオブジェクト内に表面アンテナを埋め込みかつ／または別段で蒸着するためのプロセスの一例を示すフロー図である。
【図９】幾つかの実施形態による、アンテナを埋め込んだ、または蒸着したテレビを介するワイヤレス給電の環境の一例を示す図である。
【図１０】幾つかの実施形態による、クライアントへのワイヤレス送電を中断し、かつ／またはクライアントにおけるワイヤレス受電を中断するためのプロセスの一例を示すフロー図である。
【図１１】幾つかの実施形態による、ワイヤレス給電のための表面アンテナを埋め込んだ、または蒸着したマルチパネル・テレビジョン・アレイを示す図である。
【図１２Ａ】幾つかの実施形態による、ワイヤレス給電のための表面アンテナを埋め込んだ、または蒸着したウィンドウを示す図である。
【図１２Ｂ】幾つかの実施形態による、ワイヤレス給電のための表面アンテナを埋め込んだ、または蒸着したウィンドウを示す図である。
【図１３】幾つかの実施形態による、ワイヤレス給電のための表面アンテナを埋め込んだ、または蒸着した車両の一例を示す図である。
【図１４Ａ】幾つかの実施形態による、銅を用いて発光ダイオードＬＥＤ間に埋め込まれた、または蒸着されたアンテナを有するバックライトＬＥＤテレビの一例を示す図である。
【図１４Ｂ】幾つかの実施形態による、ＬＥＤ間の空きスペースに埋め込まれた、または蒸着された銅アンテナを有する個々のＬＥＤを示す図である。
【図１５】幾つかの実施形態による、モバイル（またはスマート）フォンまたはタブレット・コンピュータ・デバイスの形態であるワイヤレス電力受信機またはクライアントを有する代表的なモバイルデバイスまたはタブレットコンピュータのコンポーネント例を示すブロック図である。
【図１６】マシンに本明細書で論じる方法論のうちの１つまたはそれ以上を実行させるための命令セットが実行され得る、コンピュータシステムのマシンを例示的形態で示す図式表現である。
【発明を実施するための形態】
【０００９】
本開示の実施形態は、ワイヤレス電力（無線電力）設備または機能を既存のオブジェクトに、埋め込まれた、または蒸着された表面アンテナを介して統合するための様々な技術について述べる。より具体的には、本明細書に記述する技術は、アンテナが空気に曝されかつ／または別段で重大な干渉がないように、既存のオブジェクトまたはデバイスの表面に空間的に配列され適応的に位相調整されるアンテナ（フェーズドアンテナ）を埋め込みかつ／または別段で蒸着する能力を提供する。幾つかの実施形態では、ワイヤレス給電環境において位相調整されるアンテナの位相を独立して制御するために、アンテナへワイヤレス電力制御システムが動作可能に結合される。
【００１０】
以下の説明および図面は例示的なものであり、限定的なものとして解釈されるべきではない。多くの具体的詳細に関する記述は、開示の完全な理解を提供するためのものである。しかしながら、所定の例では、説明を不明瞭にすることを避けて、周知または従来的な詳細を省略している。本開示における１つの実施形態の言及は、同一の実施形態に対する言及であり得るが、必ずしもその限りではなく、よってこのような言及は、実施形態のうちの少なくとも１つを意味する。
【００１１】
本明細書における「一実施形態」または「ある実施形態」の言及は、その実施形態に関連して記述される具体的な特徴、構造または特性が本開示の少なくとも１つの実施形態に包含されることを意味する。本明細書の様々な箇所における「一実施形態において」という言い回しの出現は、必ずしも全てが同一の実施形態を指すものではなく、また、他の実施形態と相互排他的な別個または代替的な実施形態を指すものでもない。さらに、特徴は、幾つかの実施形態によって示されることもあれば、他の実施形態では示されないこともある様々なものが記述される。同様に、要件についても、幾つかの実施形態では要件であっても、他の実施形態では要件でないこともある様々なものが記述される。
【００１２】
本明細書で使用される用語は、概して、開示のコンテキストにおいて、かつ各用語が使用される具体的なコンテキストにおいても、当技術分野における一般的な意味を有する。開示を説明するために使用される所定の用語については、以下で、または本明細書の他の箇所で論じ、実行者に開示の説明に関する追加的な手引きを提供する。便宜的に、所定の用語は、例えば斜体および／または引用符を用いてハイライトされてもよい。ハイライトの使用は、用語の範囲および意味に影響せず、ある用語の範囲および意味は、ハイライトされているか否かに関わらず、同じコンテキストにおいては同一である。複数の方法についても、同じことが言える点は認識されるであろう。
【００１３】
したがって、本明細書で論じる用語のうちのいずれか１つまたはそれ以上について、代替の言語および同義語が使用されてもよく、また本明細書においてある用語が詳述または論議されているか否かについては、如何なる特別な意味合いも置かれるべきではない。所定の用語には、同義語が提供される。１つまたは複数の同義語の記載は、他の同義語の使用を排除するものではない。本明細書で論じる任意の用語の例を含む、本明細書の何れかにおける例の使用は、単に例示的なものであって、開示または例示される任意の用語の範囲および意味をさらに限定するためのものではない。同様に、本開示は、本明細書に記載される様々な実施形態に限定されない。
【００１４】
以下、開示の範囲をさらに限定する意図を有することなく、本開示の実施形態による器具、装置、方法およびこれらに関連する結果の例を示す。これらの例においては、読者の便宜のためにタイトルまたはサブタイトルを用いる場合があるが、これらは、如何なる場合も開示の範囲を限定するものでないことに留意されたい。別段の規定のない限り、本明細書で用いる全ての技術および科学用語は、本開示の関連分野の一般的な当業者によって通常理解されるものと同じ意味を有する。矛盾が生じる場合は、定義を含み、本文書が優先する。
【００１５】
Ｉ．例示的なワイヤレス給電システムの概要／アーキテクチャ
【００１６】
図１は、ワイヤレス給電環境の一例１００を示す線図であって、ワイヤレス給電環境１００内の１つまたは複数のワイヤレス充電器１０１から様々な無線デバイス１０２へのワイヤレス給電を描いている。より具体的には、図１は、ワイヤレス電力および／またはデータを、１つまたは複数の電力受信機クライアント１０３．１−１０３．ｎ（本明細書では、「ワイヤレス電力受信機」または「ワイヤレス電力クライアント」とも称する）を有する利用可能な無線デバイス１０２．１−１０２．ｎへ送ることができるワイヤレス給電環境の一例１００を示している。ワイヤレス電力受信機は、１つまたは複数のワイヤレス充電器１０１から、分離されたワイヤレス電力を受信するように構成される。
【００１７】
図１の例に示すように、無線デバイス１０２．１−１０２．ｎは、各々、携帯電話デバイス１０２．２および１０２．ｎ、およびワイヤレス・ゲーム・コントローラ１０２．１であるが、無線デバイス１０２．１−１０２．ｎは、電力を必要としかつ１つまたは複数の統合型電力受信機クライアント１０３．１−１０３．ｎを介してワイヤレス電力を受信することができる任意の（スマートまたはダム）無線デバイスまたはシステムであってもよい。本明細書で論じるように、１つまたは複数の統合型電力受信機クライアントまたは「ワイヤレス電力受信機」は、１つまたは複数の送信機／充電器１０１．ａ−１０１．ｎから電力を受信して処理し、かつこの電力を無線デバイス１０２．１−１０２．ｎへ提供してこれを動作させる。
【００１８】
各充電器１０１（本明細書では、「送信機」、「アンテナアレイ」または「アンテナ・アレイ・システム」とも称する）には、無線デバイス１０２へワイヤレス電力を送ることができる複数のアンテナ１０４、例えば数百または数千のアンテナを含むアンテナアレイ、が含まれてもよい。幾つかの実施形態において、アンテナは、適応的に位相調整される高周波アンテナである。充電器１０１は、コヒーレントな送電信号を電力受信機クライアント１０３へ送るための適切な位相を決定することができる。アレイは、信号（例えば、連続波またはパルス化された送電信号）を複数のアンテナから互いに対して特有の位相で放出するように構成される。「アレイ」という用語の使用が、必ずしもアンテナアレイを特有のアレイ構造に限定するものではないことは、認識される。即ち、アンテナアレイが、特有の「アレイ」形態または幾何学形状で構成される必要はない。さらに、本明細書で使用する「アレイ」または「アレイシステム」という用語は、ラジオ、デジタル論理およびモデム等の、信号の発生、受信および伝送のための関連および周辺回路を包含するように使用されてもよい。幾つかの実施形態において、充電器１０１は、埋め込まれたＷｉ−Ｆｉハブを有してもよい。
【００１９】
無線デバイス１０２は、１つまたは複数の受信電力クライアント１０３を含んでもよい。図１の例には、給電アンテナ１０４ａおよびデータ通信アンテナ１０４ｂが示されている。給電アンテナ１０４ａは、ワイヤレス給電環境においてワイヤレス高周波電力の配信を提供するように構成される。データ通信アンテナは、電力受信機クライアント１０３．１−１０３および／または無線デバイス１０２．１−１０２．ｎとの間でデータ通信を送受信するように構成される。幾つかの実施形態において、データ通信アンテナは、Ｂｌｕｅｔｏｏｔｈ（登録商標）、Ｗｉ−Ｆｉ、ＺｉｇＢｅｅ、他を介して通信してもよい。
【００２０】
各電力受信機クライアント１０３．１−１０３．ｎは、充電器１０１から信号を受信するための１つまたは複数のアンテナ（不図示）を含む。同様に、各充電器１０１．ａ−１０１．ｎは、連続波信号を互いに対して特有の位相で放出することができる１つまたは複数のアンテナおよび／またはアンテナセットを有するアンテナアレイを含む。先に論じたように、各アレイは、電力受信機クライアント１０２．１−１０２．ｎへコヒーレントな信号を送るための適切な位相を決定することができる。例えば、コヒーレント信号は、コヒーレント信号がビーコン信号を送信した特定の電力受信機クライアントに対して適切に位相調整されるように、アレイの各アンテナにおいて受信されるビーコン信号の複素共役を計算することによって決定されてもよい。
【００２１】
図示されていないが、環境の各コンポーネント、例えばワイヤレス電力受信機、充電器、他は、制御および同期機構、例えばデータ通信同期モジュールを含んでもよい。充電器１０１．ａ−１０１．ｎは、例えば、充電器を建物内の標準または一次交流（ＡＣ）電源へ接続する電源コンセントまたは電源等の電源へ接続されてもよい。あるいは、または追加的に、充電器１０１．ａ−１０１．ｎのうちの１つまたはそれ以上は、バッテリによって、または他の機構を介して給電されてもよい。
【００２２】
幾つかの実施形態において、電力受信機クライアント１０２．１−１０２．ｎおよび／または充電器１０１．ａ−１０１．ｎは、ワイヤレス給電環境内でビーコン信号を送信しかつワイヤレス電力および／またはデータを受信するために、例えば壁または他のＲＦ反射性障害物等の反射オブジェクト１０６を射程内で利用する。反射オブジェクト１０６は、充電器と電力受信機クライアントとの間の視野方向内に遮断オブジェクトがあるかどうかに関わらず、多方向信号通信に利用されてもよい。
【００２３】
本明細書で記述しているように、各無線デバイス１０２．１−１０２．ｎは、例示的な環境１００内で別のデバイス、サーバおよび／または他のシステムとの接続を確立することができる任意のシステムおよび／またはデバイス、および／またはデバイス／システムの任意の組合せであってもよい。幾つかの実施形態において、無線デバイス１０２．１−１０２．ｎは、ユーザにデータを提示するためのディスプレイまたは他の出力機能、および／またはユーザからデータを受信するための入力機能を含む。例として、無線デバイス１０２は、ビデオ・ゲーム・コントローラ、サーバデスクトップ、デスクトップコンピュータ、コンピュータクラスタ、ノートブック等のモバイル・コンピューティング・デバイス、ラップトップコンピュータ、ハンドヘルドコンピュータ、携帯電話、スマートフォン、ＰＤＡ、Ｂｌａｃｋｂｅｒｒｙデバイス、Ｔｒｅｏおよび／またはｉＰｈｏｎｅ（登録商標）、他であってもよいが、この限りではない。また、無線デバイス１０２は、腕時計、ネックレス、リング等の任意のウェアラブルデバイスである場合もあれば、顧客の体内に埋め込まれるデバイスである場合もある。無線デバイス１０２の他の例には、安全センサ（例えば、火災または一酸化炭素）、電動歯ブラシ、電子ドアロック／ハンドル、電気光スイッチコントローラ、電気カミソリ、他が含まれるが、この限りではない。
【００２４】
図１の例には示されていないが、充電器１０１および電力受信機クライアント１０３．１−１０３．ｎは、各々、データチャネルを介して通信するためのデータ通信モジュールを含んでもよい。あるいは、または追加的に、電力受信機クライアント１０３．１−１０３．ｎは、既存のデータ通信モジュールを介して充電器と通信するように無線デバイス１０２．１−１０２．ｎを導いてもよい。さらに、幾つかの実施形態において、本明細書では主として連続波形と称されるビーコン信号は、代替的または追加的に、変調信号の形態を取ってもよい。
【００２５】
図２は、ある実施形態による、分離されたワイヤレス給電を開始するためのワイヤレス充電器１０１と電力受信機クライアント１０３との間の例示的な動作を示すシーケンス図２００である。まず、充電器１０１と電力受信機クライアント１０３との間に通信が確立される。続いて、充電器１０１は、充電器による後続の分離されたワイヤレス給電のための電力受信機クライアント１０３によるビーコン信号の符号化を促進するために、ビーコンスケジュール情報および伝送コードを電力受信機クライアント１０３へ送る。また、充電器１０１は、電力受信機クライアント１０３に充電器からのワイヤレス電力をいつ期待すべきかが分かるように、送電スケジューリング情報も送ってもよい。本明細書で論じているように、電力受信機クライアント１０３は、伝送コードを用いて符号化されたビーコン信号を生成し、かつこの符号化されたビーコンを、ビーコンスケジュール情報によって指示されるビーコン伝送割当ての間、例えばＢＢＳサイクル中に、同報通信する。
【００２６】
図示されているように、充電器１０１は、電力受信機クライアント１０３からビーコンを受信し、かつこの符号化されたビーコン信号をクライアント１０３に提供される伝送コードを用いて復号して、クライアント１０３が認可された、または選択されたクライアントであることを保証する。また、充電器１０１は、ビーコン信号が受信される位相（または方向）も検出し、クライアントが認可されていると判断すれば、受信されたビーコンの位相（または方向）に基づいて電力受信機クライアント１０３へワイヤレス電力および／またはデータを送る。幾つかの実施形態において、充電器１０１は、位相の複素共役を決定し、かつこの複素共役を用いて、ワイヤレス電力を電力受信機クライアント１０３へ、ビーコン信号が電力受信機クライアント１０３から受信されたのと同じ方向（または位相）に送り、かつ／または別段で方向づける。
【００２７】
幾つかの実施形態において、充電器１０１は、多くのアンテナを含み、これらのうちの１つまたはそれ以上が電力を電力受信機クライアント１０３へ送るために使用される。充電器１０１は、各アンテナにおいてビーコン信号が受信される位相を検出することができる。多数のアンテナにより、充電器１０１の各アンテナにおいて異なるコード化されたビーコン信号が受信される結果となり得る。充電器は、次に、各アンテナで受信されたビーコン信号の複素共役を決定してもよい。複素共役を用いて、１つまたは複数のアンテナは、充電器１０１における多数のアンテナの効果を考慮した信号を放出してもよい。言い換えれば、充電器１０１は、アンテナのうちの１つまたはそれ以上からビーコンの波形を反対方向に略再現する集合信号を生成するようにして、１つまたは複数のアンテナから信号を発する。
【００２８】
本明細書で論じているように、ワイヤレス電力は、電力スケジュール情報によって規定される電力サイクルで送られてもよい。次に、図３を参照して、ワイヤレス給電の開始に必要なシグナリングのより詳細な例について述べる。
【００２９】
図３は、ある実施形態による、ワイヤレス充電器３００の例示的なコンポーネントを示すブロック図である。図３の例に示されているように、ワイヤレス充電器３００は、マスタ・バス・コントローラ（ＭＢＣ）ボードと、集合的にアンテナアレイを備える複数のメザニンボードとを含む。ＭＢＣは、制御論理３１０と、外部電力インタフェース（Ｉ／Ｆ）３２０と、通信ブロック３３０と、プロキシ３４０とを含む。メザニン（またはアンテナ・アレイ・ボード３５０）は、各々、複数のアンテナ３６０ａ−３６０ｎを含む。実施形態によっては、コンポーネントの一部または全部が省略されてもよい。追加のコンポーネントも、可能である。
【００３０】
制御論理３１０は、アレイコンポーネントに制御およびインテリジェンスを提供するように構成される。制御論理３１０は、１つまたは複数のプロセッサ、ＦＰＧＡ、メモリユニット、他を備えてもよく、かつ様々なデータおよび電力通信を方向づけかつ制御してもよい。通信ブロック３３０は、データ通信を、クロック同期のためのベース信号クロック等のデータキャリア周波数上へ方向づけることができる。データ通信は、Ｂｌｕｅｔｏｏｔｈ（登録商標）、Ｗｉ−Ｆｉ、ＺｉｇＢｅｅ、他であってもよい。同様に、プロキシ３４０も、本明細書で論じているように、データ通信を介してクライアントと通信することができる。データ通信は、Ｂｌｕｅｔｏｏｔｈ（登録商標）、Ｗｉ−Ｆｉ、ＺｉｇＢｅｅ、他であってもよい。外部電力インタフェース３２０は、外部電力を受信しかつこの電力を様々なコンポーネントに提供するように構成される。幾つかの実施形態において、外部電力インタフェース３２０は、標準外部２４ボルト電力供給を受信するように構成されてもよい。代替構成も、可能である。
【００３１】
次に、システムのパワーサイクルの例について述べる。本例において、充電器アレイを制御するマスタ・バス・コントローラ（ＭＢＣ）は、まず電源から電力を受け取って起動される。ＭＢＣは、次に、充電器アレイ上のプロキシアンテナ素子を起動し、プロキシアンテナ素子は、デフォルトの「発見」モードに入って充電器アレイの範囲内で利用可能な無線受信機クライアントを識別する。クライアントが見つかると、充電器アレイ上のアンテナ素子に電源が入り、エニュメレートされ、かつ（場合により）較正される。
【００３２】
次に、ＭＢＣは、スケジューリングプロセスの間に、ビーコン伝送スケジューリング情報および送電スケジューリング情報を生成する。スケジューリングプロセスは、電力受信機クライアントの選択を含む。例えば、ＭＢＣは、送電のための電力受信機クライアントを選択し、かつ選択されたワイヤレス電力受信機クライアントのビーコン・ビート・スケジュール（ＢＢＳ）サイクルおよび電力スケジュール（ＰＳ）を生成してもよい。例示的なＢＢＳおよびＰＳのグラフィカルなシグナリング表現については、図６および図７を参照してより詳細に示しかつ論じる。本明細書で論じているように、電力受信機クライアントは、それらの対応する性質および／または要件に基づいて選択されてもよい。
【００３３】
幾つかの実施形態において、ＭＢＣは、クライアント・クエリ・テーブル（ＣＱＴ）でそのステータスが問い合わされる利用可能クライアントを識別しかつ／または別段で選択することもできる。ＣＱＴに置かれるクライアントは、「待機中」のもの、例えば、充電を受けていないクライアントである。ＢＢＳおよびＰＳは、クライアントに関する重要な情報、例えば、バッテリ状態、現行の活動／使用状況、電力切れまでのクライアントの所要時間、使用に関する優先順位、他等、に基づいて計算される。
【００３４】
プロキシＡＥは、ＢＢＳを全てのクライアントへ同報通信する。本明細書で論じているように、ＢＢＳは、各クライアントがいつビーコンを送るべきかを示す。同様に、ＰＳは、アレイがいつどのクライアントへ電力を送るべきかを指示する。各クライアントは、ＢＢＳおよびＰＳに従って、そのビーコンの同報通信およびアレイからの電力受信を開始する。プロキシは、同時に、クライアント・クエリ・テーブルに問い合わせて、他の利用可能クライアントのステータスをチェックすることができる。クライアントは、単にＢＢＳまたはＣＱＴ（例えば、待機リスト）の何れかに存在し、両方に存在することはできない。幾つかの実施形態において、ＢＢＳおよびＰＳ上でサービスを受けることができるクライアントの数は、限定的である（例えば、３２名）。同様に、ＣＱＴも、何名かのクライアント（例えば、３２名）に限定されてもよい。したがって、例えば、６４名を超えるクライアントが充電器の範囲内に存在する場合、一部のクライアントは、ＢＢＳまたはＣＱＴの何れにおいても機能しなくなる。先のステップで収集された情報は、持続的かつ／または周期的にＢＢＳサイクルおよび／またはＰＳを更新する。
【００３５】
図４は、幾つかの実施形態による、ワイヤレス電力受信機（クライアント）のコンポーネント例を示すブロック図である。図４の例に示されているように、受信機４００は、制御論理４１０と、バッテリ４２０と、通信ブロック４３０および関連のアンテナ４７０と、電力メータ４４０と、整流器４５０と、コンバイナ４５５と、ビーコン信号発生器４６０と、ビーコン符号化ユニット４６２および関連のアンテナ４８０と、整流器４５０またはビーコン信号発生器４６０を１つまたは複数の関連のアンテナ４９０ａ−ｎへ接続するスイッチ４６５とを含む。実施形態によっては、コンポーネントの一部または全部が省略されてもよい。例えば、幾つかの実施形態において、ワイヤレス電力受信機クライアントは、その固有のアンテナを含まず、代わりに、ワイヤレス電力受信機が埋め込まれる無線デバイスの１つまたは複数のアンテナ（例えば、Ｗｉ−Ｆｉアンテナ）を利用しかつ／または別段でこれを共用する。追加のコンポーネントも、可能である。
【００３６】
コンバイナ４５５は、受信機４００が２つ以上のアンテナを有する場合に、電力送信機から送電信号を受信し、かつ受信された送電信号を結合する。コンバイナは、整合状態を保全しながら出力ポート間の分離を達成するように構成される任意のコンバイナまたは分割器回路であってもよい。例えば、コンバイナ４５５は、ウィルキンソン電力分割器回路であってもよい。整流器４５０は、もしあればコンバイナ４５５から結合された送電信号を受信し、これが、電力メータ４４０を介して充電のためにバッテリ４２０へ供給される。電力メータ４４０は、受信される電力信号の強度を測定し、この測定値を制御論理４１０へ提供する。
【００３７】
制御論理４１０は、また、バッテリ４２０自体からバッテリの電力レベルを受信してもよい。制御論理４１０は、また、通信ブロック４３０を介して、クロック同期のためのベース信号クロック等のデータキャリア周波数上でデータ信号を送／受信してもよい。ビーコン信号発生器４６０は、ビーコン信号または較正信号を生成し、ビーコン信号が符号化された後に、ビーコン信号を、アンテナ４８０またはアンテナ４９０のいずれかを用いて送信する。
【００３８】
バッテリ４２０は、受信機４００によって充電されかつ受信機４００へ電力を供給するように示されているが、受信機は、その電力を整流器４５０から直に受け取ってもよいことは、留意され得る。これは、整流器４５０がバッテリ４２０へ充電電流を供給することに加えて、または充電を提供する代わりであってもよい。また、複数のアンテナの使用は実装の一例であって、この構造は、１つの共用アンテナにまで縮小されてもよいことも留意され得る。
【００３９】
幾つかの実施形態において、クライアント識別子（ＩＤ）モジュール４１５は、ワイヤレス給電環境において電力受信機クライアントを一意に識別することができるクライアントＩＤを記憶する。例えば、通信が確立されると、ＩＤは１つまたは複数の充電器へ送信されてもよい。幾つかの実施形態において、電力受信機クライアントは、クライアントＩＤに基づいて、ワイヤレス給電環境における他の電力受信機クライアントを受信して識別することもできる場合がある。
【００４０】
任意選択の動きセンサ４９５は、動きを検出し、かつ制御論理４１０に、適宜行動するように信号を送ることができる。例えば、あるデバイスが電力を、例えば５００ＭＨｚを超える高周波数で受信している場合、そのロケーションは、（入射する）放射線のホットスポットになり得る。したがって、デバイスが、例えばモバイルデバイスに埋め込まれていて人に装着されている場合、その放射線レベルは、連邦通信委員会（ＦＣＣ）または他の医療／産業当局が設定する許容可能な放射線レベルを超えることがある。潜在的なあらゆる放射線問題を回避するために、デバイスは、加速度計または同等の機構等の動き検出機構を組み込んでもよい。デバイスが、デバイスの動作中であることを検出すると、デバイスがユーザによって取り扱われているという想定がなされる可能性があり、アレイへ、送電を停止する、または受信される電力を許容可能な一部の電力にまで下げるための信号がトリガされることになる。デバイスが、車、列車または飛行機等の移動する環境で使用される場合、デバイスが電池切れに近い状態でない限り、電力は、断続的に、または低減されたレベルでしか伝送されないこともある。
【００４１】
ＩＩ．埋込みまたは蒸着表面アンテナ
【００４２】
本明細書に記述する技術は、既存のオブジェクトまたはデバイスがワイヤレス電力設備と統合されることを可能にする。例えば、本明細書に記述する技術は、アンテナがオブジェクトまたはデバイスの表面上に埋め込まれる、かつ／または蒸着されることを可能にする。幾つかの実施形態において、既存のオブジェクトまたはデバイスは、オブジェクトまたはデバイスが、埋め込まれた、または蒸着された表面アンテナの使用を介して離散ワイヤレス送電または受電システムのワイヤレス充電機能を実行できるようにするワイヤレス送電または受電設備と統合されてもよい。
【００４３】
本明細書で論じているように、効率的な動作のために、ワイヤレス充電器は、典型的には、広い表面積に渡って空間的に配列されて空気に曝されかつ／または別段で重大な無線またはＥＭＦ干渉がない数百または数千のアンテナを含む。本明細書に記述する技術は、アンテナが空気に曝されかつ／または別段で重大な干渉がないように、デバイスの表面に空間的に配列された数千の表面アンテナを埋め込みかつ／または別段で蒸着する能力を提供する。
【００４４】
既存のオブジェクトには、十分に大きい表面積を有するあらゆるオブジェクトが含まれ得る。限定ではなく例として、既存のオブジェクトには、テレビまたはモニタ、家電製品、窓（例えば、家庭、企業および／または車両内の窓）、壁、家具または備品、他が含まれてもよい。
【００４５】
幾つかの実施形態において、本明細書に記述する技術は、ワイヤレス充電器として、例えばテレビ等の既存のデバイスの表面および／または画面を利用する。幾つかの実施形態では、これらの既存のデバイスの他の表面も、アンテナの埋め込みおよび／または蒸着に利用することができる。例えば、アンテナは、テレビのプラスチック製の外周の周りに、またはテレビ背面のプラスチック表面に埋め込まれてもよい。したがって、他の利点の中でもとりわけ、本明細書に記述する技術は、概して、スタンドアロン型または個別のワイヤレス充電器を、ワイヤレス充電とは無関係の主要機能を有する既存のデバイス内に構築されかつ／または別段で埋め込まれるワイヤレス充電器に取って替える。
【００４６】
幾つかの実施形態において、アンテナは、容量性タッチスクリーンに使用される現行技術に類似する技術を用いて、既存のオブジェクトの表面に埋め込まれる、または蒸着されることが可能である。例えば、容量性タッチスクリーンパネルは、インジウムスズ酸化物（ＩＴＯ）等の透明な導体で被覆されるガラス等の絶縁体から成る。幾つかの実施形態において、これらの層は、薄くかつ透明であるように蒸着される。
【００４７】
幾つかの実施形態において、本明細書に記述するワイヤレス送電システムは、高周波（ＲＦ）ワイヤレス電力（およびデータ）配信システムを指す。参照によりその全体が開示に含まれる特許文献１は、ある一意の小型充電器設計について論じている。より具体的には、特許文献１は、フォームファクタが低減された高誘電性アンテナについて論じている。この高誘電性アンテナは、数千のアンテナを集合的に含む様々なプレート（またはアンテナ素子）を含むことができる。システムにおけるアンテナおよびプレートの配置は、ワイヤレス電力充電器システムのフォームファクタ（または物理的大きさ）を減少させる。
【００４８】
図５Ａは、ワイヤレス電力／データが、表面アンテナを埋め込んだ、または蒸着した既存のオブジェクト５０１を介して利用可能クライアント５０２Ａおよび５０２Ｂへ送られる環境の一例５００を示す図である。より具体的には、図５Ａ及び図５Ｂの例において、既存のオブジェクト５０１は、例えばガラス製正面アンテナを有するテレビまたはモニタデバイス等のディスプレイデバイスである。図５Ｂの例に示されているように、ディスプレイデバイス５０１は、画面またはガラス基板５０５上に構築された光学的に透明なアンテナ５０４を有する。幾つかの実施形態において、ディスプレイデバイス５０１は、ワイヤレス給電環境５００内の無線デバイス、例えば各々ワイヤレス電力受信機クライアント５０３Ａおよび５０３Ｂを有する無線デバイス５０２Ａおよび５０２Ｂ、からビーコン信号を受信し、かつこれらの無線デバイスへ電力／データ信号を送るように構成される。
【００４９】
幾つかの実施形態において、表面アンテナは、代替的または追加的に、無線デバイス５０２Ａおよび５０２Ｂの一方またはそれ以上に埋め込まれ、かつ／または別段で蒸着されてもよい。本明細書で論じているように、埋込みアンテナは、無線デバイス５０２Ａおよび５０２Ｂ上の任意の場所、例えばハウジングまたはガラス製画面、他、に配置されてもよい。
【００５０】
ガラス基板上への表面アンテナの蒸着の様々な例を、図４および図５を参照してより詳細に示し、かつ論じる。図５Ａの例で論じているように、ガラス製正面アンテナは、無線デバイス５０２Ａおよび５０２Ｂからビーコンを受信し、かつこれに対応して、この無線デバイスに割り当てられた送電スケジュールの間に、対応する無線デバイス５０２Ａおよび５０２Ｂへ電力信号を送ることができる。
【００５１】
図５Ｂの例に示されているように、アンテナは、ディスプレイデバイス５０１の画面５０５上へ蒸着され、配置されかつ／または埋め込まれることが可能である。アンテナ５０４は、ディスプレイデバイス５０１上のどこに配置されてもよい。既存のオブジェクトにおける様々なアンテナ配置の配置例について、図５Ｂを参照してさらに詳しく論じる。
【００５２】
図５Ｂは、幾つかの実施形態による、ディスプレイデバイス５０１のより詳細な例を示す。図５Ｂの例では、ディスプレイデバイス５０１が、アンテナ５０４からのデータおよび／または電力の伝送を制御するように構成される埋込み型ワイヤレス電力コントローラ５１０を備えて示されている。アンテナ５０４の幾何学形状および構成は、様々な方法で設計することができる。幾つかの設計例を、参照により開示に含まれる米国暫定特許出願第６２／１００，００７号明細書を参照してより詳細に示し、かつ論じる。
【００５３】
図６は、既存のデバイスにワイヤレス設備を生成する、または追加するために、既存のデバイスの表面に構築され、蒸着され、埋め込まれかつ／または別段で担持されるアンテナの一例６００を示す分解図である。本明細書で記述しているように、幾つかの実施形態において、アンテナは、既存のオブジェクトがその主要機能を保持することに加えて、ワイヤレス給電システムまたはワイヤレス受電システムとしても機能できるように、既存のオブジェクトの表面に蒸着される。より具体的には、図６の例は、幾つかの実施形態による、テレビ、モニタまたはモバイルデバイス画面等の既存のデバイスの画面上に表面アンテナを蒸着する、かつ／または埋め込むことを示す。
【００５４】
蒸着された表面アンテナは、薄く透明である。表面アンテナを蒸着するためには、様々な技術および材料を用いることができる。幾つかの実施形態において、テレビの表面上に薄く透明なアンテナを埋め込みかつ／または別段で蒸着する技術について記述する。例えば、アンテナは、例えばテレビ等の既存デバイスの表面または画面上に蒸着されてもよい。あるいは、または追加的に、アンテナは、テレビのプラスチック製外周の周りに、またはテレビ背面のプラスチック製表面に埋め込まれてもよい。
【００５５】
幾つかの実施形態において、アンテナは、容量性タッチスクリーンに使用される現行技術に類似する技術を用いて、既存のオブジェクトの表面に埋め込まれる、または蒸着されることが可能である。例えば、容量性タッチスクリーンパネルは、インジウムスズ酸化物（ＩＴＯ）等の透明な導体で被覆されるガラス等の絶縁体から成る。人体もまた導電体であることから、画面に触れると、画面の静電界に、静電容量の変化として測定可能な歪みが生じる。容量性タッチスクリーンの場合、容量性タッチの位置決定に様々な技術を用いることができる。例えば、駆動および検出用容量性グリッドは、垂直な検出ライン（またはワイヤ）の上に座す水平の駆動ライン（またはワイヤ）を含んでもよい。容量性グリッドは、数百のワイヤを含んでもよい。容量性タッチが検出されると、位置が決定される。位置が決定されると、タッチスクリーンコントローラへ送られて処理される。
【００５６】
幾つかの実施形態において、アンテナが、ＩＴＯ等の透明な導体で被覆されたガラス等の絶縁体を用いてテレビまたはモニタの表面に埋め込まれる、または蒸着されると、テレビまたはモニタは、ほぼ１対１のアンテナ密度とＩＴＯを伴うプリント基板（ＰＣＢ）材料との関係を達成することができる。
【００５７】
大部分の例において、表面にアンテナを埋め込む、または蒸着するためにＩＴＯを用いれば、ＩＴＯ材料が典型的なアンテナ材料、例えば銅配線より抵抗性であるという問題が生じる。したがって、アンテナ設計の一部としてインピーダンスが考慮されるように、高電圧アンテナ設計を利用することができる。こうして、電力を熱に消散させることなく、アンテナにより多くの電力を通すことが可能である。高電圧設計が、典型的には、ミリボルトではなくボルトの単位に達することは、認識される。典型的には、高インピーダンスのアンテナを有する場合、電子が移動を始めると抵抗を感じることから、電流が高くなる。結果的に、電子の移動が少ないほど、効率が高まる。
【００５８】
幾つかの実施形態において、高電圧のアンテナ設計は、本質的にはボルト単位で動作するが、アンテナ（またはエミッタ）が本質的にエミッタ周辺のどの位置においてもミリワット単位で動作し、これが干渉を生じさせるに足る電力ではないことに起因して、干渉をほとんど、または全く生じさせない。
【００５９】
図６の例に示されているように、表面層６１０は、表面またはベース層である。例えば、表面層６１０は、ＬＣＤ（液晶ディスプレイ）またはＬＥＤ（発光ダイオード）テレビのディスプレイ、モニタまたはモバイルデバイスのディスプレイであってもよい。表面層６１０の上には、ガラス層６２０が蒸着されかつ／または別段で置かれる。次に、アンテナ層６３０が、インジウムスズ酸化物（ＩＴＯ）等の透明な導体を伴って埋め込まれかつ／または蒸着される。アンテナ層６３０は、数千のアンテナを含んでもよい。幾つかの実施形態において、アンテナ層６３０は、容量性グリッドとしても機能することができる。こうした場合、アンテナは、駆動ラインおよび／または検出ラインとして埋め込まれても、蒸着されてもよい。
【００６０】
アンテナ層６３０の上には、場合により、保護カバー層６４０を置くことができる。幾つかの実施形態において、保護カバー層６４０は、柔軟な透明材料で構成されてもよい。最後に、表面層６５０を埋め込み、かつ／または別段で圧着することができる。幾つかの実施形態において、表面被覆層６５０は、様々な反射防止特性を含んでもよい。図６は、所定の諸層を示しているが、代替実装は、図６に示されているものより少ない層、より多い層または異なる順序の層を含んでもよい。
【００６１】
図７は、既存のデバイス内にワイヤレス充電機能を作成または追加するために、既存デバイスの表面に構築され、蒸着されかつ／または別段で埋め込まれたアンテナの一例７００を示す分解図である。
【００６２】
図７の例において、表面層７１０の上には、ガラス層７２０が蒸着されかつ／または別段で置かれる。例えば、表面層７１０は、テレビのＬＣＤ（液晶ディスプレイ）またはＬＥＤ（発光ダイオード）、モニタまたはモバイルデバイスのディスプレイであってもよい。既存のデバイスは、タッチスクリーン層７３０（例えば、駆動および検出用容量性グリッド）、ならびに少なくとも１つの保護層７４０により分離される蒸着されたアンテナ層７５０を含む。保護層は、例えば、ガラス層であってもよい。
【００６３】
アンテナ層７５０の上には、場合により、保護カバー層７６０を置くことができる。幾つかの実施形態において、保護カバー層７６０は、柔軟な透明材料で構成されてもよい。最後に、表面層７７０を埋め込み、かつ／または別段で圧着することができる。幾つかの実施形態において、表面被覆層７７０は、様々な反射防止特性を含んでもよい。図７は、所定の諸層を示しているが、代替実装は、図７に示されているものより少ない層、より多い層または異なる順序の層を含んでもよい。
【００６４】
図８は、幾つかの実施形態による、ワイヤレス充電以外の主要機能を有する既存のデバイスまたはオブジェクト上へ表面アンテナを埋め込みかつ／または別段で蒸着するためのプロセスの一例８００を示すフロー図である。
【００６５】
図８の例に示されているように、プロセスは、ステップ８１０において、ベース装置を提供することにより始まる。本明細書で論じているように、ベース装置は、主要な非ワイヤレス電力関連機能を実行するように構成される。限定ではなく例として、ベース装置は、ディスプレイ装置（例えば、テレビ、モニタまたは画面）、家電製品または電子デバイス、窓、壁または家具および／または備品であってもよい。幾つかの実施形態において、ベース装置は、ステップ８２０において上にアンテナ層を蒸着することができるガラス基板層を含む。最後に、ステップ８３０では、任意選択の保護層を蒸着することができる。
【００６６】
図９は、幾つかの実施形態による、本明細書で論じているように表面アンテナを埋め込んだ、または蒸着したテレビ９５０を介するワイヤレス給電の環境の一例９００を示す図である。具体的には、図９の例は、テレビ９５０のフロントスクリーン、ならびにテレビ９５０のプラスチック製外周の周り、およびテレビ背面（または裏面）のプラスチック表面に埋め込まれたアンテナを示している。効果的には、テレビ９５０のフロントスクリーンまたは表面ならびにテレビ９５０のプラスチック製外周の周りに構築されるアンテナは、より広い範囲におけるクライアントデバイス９１２Ａ−９１２Ｃへのワイヤレス給電を提供し、かつ結果的に、比吸収率を低減させることができる。
【００６７】
幾つかの実施形態において、平面にアンテナを置くことによる問題点の１つは、平面の反対側に反射像を生成し得ることにある。しかしながら、例えばＬＣＤおよびＬＥＤディスプレイ等の幾つかのデバイスは、画面の後に接地面（接地された面）を有する。その結果、幾つかの実施形態では、接地面を用いてアンテナ層を、例えば画面およびテレビの後側に埋め込まれたアンテナを、分離することができる。効果的には、本明細書に記述しているシステムおよび方法は、アンテナがテレビ９５０のフロントスクリーンだけでなく、テレビ９５０のプラスチック製外周の周りおよびテレビのプラスチック製背面にも埋め込まれることを可能にする。
【００６８】
図９の例は、埋込み型のワイヤレス充電器を作成するためにテレビ９５０内に埋め込まれた、または蒸着されたアンテナを示しているが、ワイヤレス充電器は、壁、電気器具、窓、ビデオ・ゲーム・システム、家具および／または備品、他を含む、但しこれらに限定されないほぼあらゆる表面に埋め込まれることが可能である。さらに、幾つかの実施形態では、高周波（ＲＦ）タグが、既存のデバイス上の給電システムに統合されてもよい。例えば、幾つかの実施形態では、テレビまたはモニタの背後に位置決めされるクライアントへの給電を提供するために、埋込みアンテナを有するＲＦタグをテレビまたはモニタの外側に配置することができる。
【００６９】
図１０は、様々な実施形態による、クライアントへのワイヤレス送電を中断し、かつ／またはクライアントにおけるワイヤレス受電を中断するためのプロセスの一例１０００を示すフロー図である。
【００７０】
幾つかの実施形態において、容量性タッチスクリーン（またはタッチ・スクリーン・コントローラ）は、ソフトウェアアルゴリズムを利用して、容量性タッチまたはマルチタッチが容量性タッチスクリーン上のどこで発生したかを決定することができる。幾つかの例において、容量性タッチスクリーン（またはタッチ・スクリーン・コントローラ）は、さらに、他の機能の中でもとりわけ容量性タッチ（または顕著な容量性タッチ）を検出しかつこの情報を、埋込みまたは蒸着アンテナからのデータおよび／または電力の伝送を制御するように構成される埋込み型ワイヤレス電力コントローラへ提供することができるアプリケーション・プログラム・インタフェース（ＡＰＩ）を含んでもよい。あるいは、または追加的に、埋込み型ワイヤレス電力コントローラは、別段で、例えば加速度計、他である１つまたは複数の搭載センサを介して容量性タッチを検出する、またはタッチスクリーンの使用の可能性を検出するように構成されてもよい。
【００７１】
図１０の例によれば、監視ステップ１０１０において、タッチ・スクリーン・コントローラおよび／または埋込み型ワイヤレス電力コントローラは、中断イベントに関して、アンテナが埋め込まれているデバイスを監視する。中断イベントは、例えば、容量性タッチまたはマルチタッチ、加速度計または他のセンサイベント、他であってもよい。
【００７２】
決定ステップ１０１２において、タッチ・スクリーン・コントローラおよび／または埋込み型ワイヤレス電力コントローラは、中断イベントを検出する。論じているように、中断イベントは、容量性タッチまたはマルチタッチ・イベントであってもよい。図１０の幾つかの例において、アンテナが埋め込まれる、または蒸着される既存のデバイスは、容量性タッチがいつ発生するかを検出するコンポーネントを有する容量性タッチスクリーンを含む。より具体的には、先に論じたように、容量性タッチスクリーンには、典型的には、インジウムスズ酸化物（ＩＴＯ）等の透明導電体で被覆されるガラス等の絶縁体が含まれる。人体は、導電体であることから、画面に触れると、画面の静電界に、静電容量の変化として測定可能な歪みが生じる。容量性タッチの位置の決定には、様々な技術を用いることができる。例えば、駆動および検出用容量性グリッドは、垂直な検出ライン（またはワイヤ）の上に座す水平の駆動ライン（またはワイヤ）を含んでもよい。容量性グリッドは、数百のワイヤを含んでもよい。容量性タッチが検出されると、位置が決定される。位置が決定されると、タッチスクリーンコントローラへ送られて処理される。事例によっては、容量性タッチスクリーンは、ソフトウェアアルゴリズムを利用して、タッチまたはマルチタッチが画面上のどこで発生したかを決定する。
【００７３】
幾つかの実施形態では、アプリケーション・プログラム・インタフェース（ＡＰＩ）をタッチ・スクリーン・デバイス内へ組み込むことができる。他の機能の中でもとりわけ、ＡＰＩは、容量性タッチ（または顕著な容量性タッチ）を検出し、かつこの情報を、埋込みまたは蒸着アンテナからのデータおよび／または電力の伝送を制御するように構成される埋込み型ワイヤレス電力コントローラへ提供することができる。
【００７４】
表示ステップ１０１４において、タッチ・スクリーン・コントローラおよび／または埋込み型ワイヤレス電力コントローラは、電力の伝送が疑われるべきであることを示すフラグまたは中断信号を開始する。最後に、中断ステップ１０１６において、タッチ・スクリーン・コントローラおよび／または埋込み型ワイヤレス電力コントローラは、送電を中断する。本明細書で論じているように、ワイヤレス送電は、典型的には連続波である。しかしながら、図１０のプロセスから分かるように、デフォルトは、中断が検出されるまで送電を連続して提供することである。
【００７５】
図１１は、ある実施形態による、ワイヤレス給電のための表面アンテナを埋め込んだ、または蒸着したマルチパネル・テレビジョン・アレイ１１００を示す図である。マルチパネル・テレビジョン・アレイ１１００は、例えば飛行場においてフライト情報を表示するために位置決めされてもよい。
【００７６】
図１２Ａおよび図１２Ｂは、幾つかの実施形態による、ワイヤレス給電のための表面アンテナを埋め込んだ、または蒸着した窓を示す図である。図１２Ａの例は、一枚ガラスまたは多重ガラス（例えば、二重、三重、他）窓の内面または外面に埋め込まれる、または蒸着されるアンテナを包含することができる。あるいは、または追加的に、アンテナは、窓ガラスのうちの１枚またはそれ以上の内側または中に埋めこまれても、蒸着されてもよい。さらに、図１２Ａの例は、外部電源またはプラグを含んでもよい。あるいは、１つまたは複数の内蔵バッテリシステムが利用されてもよい。また、本明細書で論じているようなワイヤレス給電を制御するために、ワイヤレス電力コントローラまたはチップも（例えば、窓枠内に）埋め込まれてもよい。
【００７７】
図１２Ｂの例は、図１２Ａの例に類似するものであるが、電力を捕捉するための１つまたは複数の太陽電池、および捕捉されたエネルギーを蓄えるために窓枠または近くの壁に内蔵またはこれらの内部へ設計され得る１つまたは複数のバッテリシステムも含む。
【００７８】
幾つかの実施形態において、アンテナは、窓へ遡及的に圧着されることが可能な可撓性被膜（不図示）の中または上に埋め込まれても、蒸着されてもよい。幾つかの例において、被膜は、他の何らかの機能を提供することができる。例えば、窓のスモークも、埋め込まれた、または蒸着されたアンテナ、太陽電池またはプロパティを有し、かつ／または埋め込まれたワイヤレス電力コントローラを有する可能性もある。
【００７９】
図１３は、ある実施形態による、ワイヤレス給電のための表面アンテナを埋め込んだ、または蒸着した車両の一例を示す図である。幾つかの実施形態において、アンテナは、図１２Ａおよび／または図１２Ｂの例において説明したように、窓に埋め込まれてもよい。あるいは、または追加的に、アンテナおよび／または他の機能（例えば、太陽電池、ワイヤレス・コントローラ・チップ、他）は、車両上または車両内に埋め込まれてもよい。
【００８０】
幾つかの実施形態では、電力を捕捉するための１つまたは複数の太陽電池、および捕捉されたエネルギーを蓄えるために窓枠または車両のフレームに内蔵またはこれらの内部へ設計され得る１つまたは複数のバッテリシステムが含まれる。車両または車のフレームには、ワイヤレス電力チップコントローラ（チップまたはチップセット）も包含されてもよい。
【００８１】
図１４Ａは、ある実施形態による、銅を用いて発光ダイオードＬＥＤ間に埋め込まれた、または蒸着されたアンテナを有するバックライトＬＥＤテレビの一例を示す図である。図１４Ａの例において、層１は、赤、緑および青用に別々のＬＥＤを用いるＬＥＤバックライトを備える。層２は、１つまたは複数のディフューザを備える。層３は、１つまたは複数の偏光子を備える。層４は、ＬＣＤパネルを備える。層５は、防眩被膜を備え、層６は、ディスプレイスクリーンを備える。層数は、追加することも、より少なくすることも可能である。
【００８２】
図１４Ｂは、ＬＥＤ間の空きスペースに埋め込まれた、または蒸着された銅アンテナ１４１０および１４２０を有する個々のＬＥＤを示す図である。銅アンテナ１４１０および１４２０は、共同して、本明細書に記述しているような高誘電性アンテナのアレイとして機能することができる。効果的には、この実施形態では、銅配線が使用される。銅配線は、低インピーダンスを有することから、高電圧設計は不要である。
【００８３】
先の記述では、ＩＴＯを用いるとしているが、アンテナは、カーボンナノチューブまたはグラフェン層（いずれも透明または目に見えない）の蒸着によって作製することができる。
【００８４】
図１５は、ある実施形態による、モバイル（またはスマート）フォンまたはタブレット・コンピュータ・デバイスの形態であるワイヤレス電力受信機またはクライアントを有する代表的なモバイルデバイスまたはタブレットコンピュータ１５００のコンポーネント例を示すブロック図である。図１５を参照して様々なインタフェースおよびモジュールを示すが、モバイルデバイスまたはタブレットコンピュータは、本明細書に記述する機能を実行するために全てのモジュールまたは機能を必要とするわけではない。多くの実施形態において、カテゴリコントローラの動作には、様々なコンポーネントが包含されず、かつ／または必要でないことは、認識される。例えば、コントローラには、コストおよび／または複雑さを減らすために、ＧＰＳラジオ、携帯ラジオおよび加速度計等のコンポーネンが含まれなくてもよい。さらに、ＺｉｇＢｅｅラジオおよびＲＦＩＤトランシーバ等のコンポーネントは、アンテナとともにプリント基板をポピュレートすることができる。
【００８５】
ワイヤレス電力受信機クライアントは、図１の電力受信機クライアント１０３であってもよいが、代替の構成も可能である。さらに、ワイヤレス電力受信機クライアントは、例えば図１の充電器１０１である充電器から電力および／またはデータ信号を受信するための１つまたは複数のＲＦアンテナを含んでもよい。
【００８６】
図１６は、マシンに本明細書で論じる方法論のうちの１つまたはそれ以上を実行させるための命令セットが実行され得る、コンピュータシステムのマシンを例示的形態で示す図式表現である。
【００８７】
図１６の例において、コンピュータシステムは、プロセッサ、メモリ、不揮発性メモリおよびインタフェースデバイスを含む。説明を簡単にするために、様々な一般的コンポーネント（例えば、キャッシュメモリ）を省略している。コンピュータシステム１６００は、図１の例に描かれているコンポーネント（および本明細書に記述している他の任意のコンポーネント）のうちの何れかを実装できるハードウェアデバイスを示すためのものである。例えば、コンピュータシステムは、任意の放射オブジェクトまたはアンテナ・アレイ・システムであってもよい。コンピュータシステムは、任意の適用可能な既知の、または便利なタイプであってもよい。コンピュータシステムのコンポーネントは、バスを介して、または他の既知の、または便利なデバイスを介して互いに結合されてもよい。
【００８８】
プロセッサは、例えば、Ｉｎｔｅｌ  ＰｅｎｔｉｕｍのマイクロプロセッサまたはＭｏｔｏｒｏｌａのパワーＰＣマイクロプロセッサ等の従来のマイクロプロセッサであってもよい。当業者には、「機械読取り可能（記憶）媒体」または「コンピュータ読取り可能（記憶）媒体」という用語がプロセッサによってアクセス可能な任意タイプのデバイスを含むことが認識されるであろう。
【００８９】
メモリは、プロセッサへ、例えばバスによって結合される。メモリは、限定ではなく例として、ダイナミックＲＡＭ（ＤＲＡＭ）およびスタティックＲＡＭ（ＳＲＡＭ）等のランダム・アクセス・メモリ（ＲＡＭ）を含んでもよい。メモリは、ローカルであっても、リモートまたは分散型であってもよい。
【００９０】
また、バスは、プロセッサを不揮発性メモリおよびドライブユニットへも結合する。不揮発性メモリは、多くの場合、磁気フロッピーまたはハードディスク、磁気光学ディスク、光学ディスク、ＣＤ−ＲＯＭ、ＥＰＲＯＭまたはＥＥＰＲＯＭ等の読出し専用メモリ（ＲＯＭ）、磁気または光学カード、または大量データ用の別の形式のストレージである。このデータの一部は、コンピュータ１６００におけるソフトウェアの実行中に、直接的なメモリ・アクセス・プロセスによってメモリに書き込まれることが多い。不揮発性ストレージは、ローカルであっても、リモートまたは分散型であってもよい。不揮発性メモリは、メモリ内で利用可能な全てのデータによってシステムを作成できることから、任意選択である。典型的なコンピュータシステムは、通常、少なくともプロセッサと、メモリと、メモリをプロセッサへ結合するデバイス（例えば、バス）とを含む。
【００９１】
ソフトウェアは、典型的には、不揮発性メモリおよび／またはドライブユニットに格納される。実際には、プログラムが大規模である場合、プログラム全体をメモリに格納することが不可能である場合もある。しかしながら、ソフトウェアを実行するために必要であれば、ソフトウェアが処理に適するコンピュータでの読取りが可能なロケーションへ移されることは理解されるべきであり、説明を目的として、本明細書ではこのロケーションをメモリと称する。ソフトウェアが実行のためにメモリへ移される場合でも、プロセッサは、典型的には、ソフトウェアに関連する値を格納するためのハードウェアレジスタ、および理想的には実行を高速化するローカルキャッシュを利用する。本明細書で使用するソフトウェアプログラムは、それが「コンピュータ読取り可能媒体に実装される」とされる場合、（不揮発性ストレージからハードウェアレジスタへの）任意の既知の、または便利なロケーションに格納されることが想定される。プロセッサは、プログラムに関連する少なくとも１つの値がプロセッサによって読取り可能なレジスタに格納されている場合、「プログラムを実行するように構成」されているとみなされる。
【００９２】
また、バスは、プロセッサをネットワーク・インタフェース・デバイスへも結合する。インタフェースは、モデムまたはネットワークインタフェースのうちの１つまたはそれ以上を含んでもよい。モデムまたはネットワークインタフェースがコンピュータシステムの一部であるとされ得ることは、認識されるであろう。インタフェースには、アナログモデム、ｉｓｄｎモデム、ケーブルモデム、トークン・リング・インタフェース、衛星伝送インタフェース（例えば、「ダイレクトＰＣ」）、または、コンピュータシステムを他のコンピュータシステムへ結合するための他のインタフェースが含まれてもよい。インタフェースは、１つまたは複数の入力および／または出力デバイスを含んでもよい。Ｉ／Ｏデバイスには、例示として、キーボード、マウスまたは他のポインティングデバイス、ディスクドライブ、プリンタ、スキャナ、およびディスプレイデバイスを含む他の入力および／または出力デバイスが含まれてもよいが、これらに限定されない。ディスプレイデバイスには、例示として、陰極線管（ＣＲＴ）、液晶ディスプレイ（ＬＣＤ）、または他の何らかの適用可能な既知の、または便利なディスプレイデバイスが含まれてもよいが、これらに限定されない。簡略化のために、図１６の例に描かれていない任意デバイスのコントローラは、インタフェース内に存在するものとする。
【００９３】
動作中、コンピュータシステム１６００は、ディスク・オペレーティング・システム等のファイル管理システムを含むオペレーティング・システム・ソフトウェアによって制御されてもよい。関連するファイル管理システムソフトウェアを伴うオペレーティング・システム・ソフトウェアの一例は、ワシントン州レドモンド所在のマイクロソフト社のＷｉｎｄｏｗｓ（登録商標）として知られるオペレーティングシステムおよびこれらに付随するファイル管理システムのファミリである。関連するファイル管理システムソフトウェアを伴うオペレーティング・システム・ソフトウェアの別の例は、Ｌｉｎｕｘ（登録商標）のオペレーティングシステムおよびその付随するファイル管理システムである。ファイル管理システムは、典型的には、不揮発性メモリおよび／またはドライブユニットに格納され、かつプロセッサに、不揮発性メモリおよび／またはドライブユニットにファイルを格納することを含む、データを入出力しかつデータをメモリに格納するためにオペレーティングシステムにより要求される様々な動作を実行させる。
【００９４】
詳細な説明の一部は、コンピュータメモリ内のデータビットに関する演算のアルゴリズムおよび記号表現として提示されてもよい。これらのアルゴリズムの記述および表現は、データ処理技術分野の当業者によって自らの仕事の内容を他の当業者に最も効果的に伝えるために使用される手段である。アルゴリズムは、この場合、かつ概して、所望される結果に繋がる動作の自己無撞着のシーケンスであるとされる。動作は、物理量の物理的操作を必要とする類のものである。通常、これらの量は、記憶され、転送され、結合され、比較されかつ別段で操作されることが可能な電気信号または磁気信号の形式をとるが、この限りではない。時として、主に共通使用を理由に、これらの信号をビット、値、要素、記号、文字、用語、数字またはこれらに類似するもの、と呼ぶことが便利であることは、判明している。
【００９５】
しかしながら、これらの用語および類似の用語は、全て、適切な物理量に関連づけられるべきものであり、よって、これらの量に貼り付けられる便宜的なラベルに過ぎないことは、留意されるべきである。別段の具体的な指摘のない限り、以下の論考から明らかであるように、明細書本文を通じて、「処理する」または「算定する」または「計算する」または「決定する」または「表示する」またはこれらに類似するもの等の用語を利用する論考が、コンピュータシステムのレジスタおよびメモリ内の物理（電子）量として表現されるデータを操作しかつ、コンピュータシステムのメモリまたはレジスタまたは他のこのような情報記憶、送信または表示デバイス内の物理量として同様に表現される他のデータに変換するコンピュータシステムまたは類似の電子コンピューティングデバイスの行動およびプロセスを指すことは認識される。
【００９６】
本明細書に提示するアルゴリズムおよびディスプレイは、本来、具体的なコンピュータまたは他の装置の何れにも関連するものではない。様々な汎用システムが、本明細書の教示によるプログラムによって使用されてもよく、または、幾つかの実施形態の方法の実行に際しては、より特殊化された装置を構築することが好都合であることが分かる場合もある。様々なこれらのシステムに必要な構造は、以下の説明から明らかとなるであろう。さらに、何れかの具体的なプログラミング言語を参照して技術を記述することはなく、よって、様々なプログラミング言語を用いて様々な実施形態が実装されてもよい。
【００９７】
代替実施形態において、マシンは、スタンドアロンデバイスとして動作し、または他のマシンへ接続（例えば、ネットワーク接続）されてもよい。ネットワークデプロイメントにおいて、マシンは、クライアント−サーバネットワーク環境におけるサーバマシンまたはクライアントマシンの能力において、またはピアツーピア（または分散型）ネットワーク環境におけるピアマシンとして動作してもよい。
【００９８】
マシンは、サーバコンピュータ、クライアントコンピュータ、パーソナルコンピュータ（ＰＣ）、タブレットＰＣ、ラップトップコンピュータ、セットトップボックス（ＳＴＢ）、パーソナル・デジタル・アシスタント（ＰＤＡ）、携帯電話、ｉＰｈｏｎｅ（登録商標）、Ｂｌａｃｋｂｅｒｒｙ、プロセッサ、電話、ウェブアプライアンス、ネットワークルータ、スイッチまたはブリッジ、または、そのマシンが取るべき行動を指定する命令セット（順次的またはその他）を実行できるあらゆるマシンであってもよい。
【００９９】
機械読取り可能媒体または機械読取り可能記憶媒体は、例示的な実施形態において単一媒体であるように示されているが、「機械読取り可能媒体」および「機械読取り可能記憶媒体」という用語は、１つまたは複数の命令セットを格納する単一の媒体または複数の媒体（例えば、集中または分散データベース、および／または関連のキャッシュおよびサーバ）を包含するように理解されるべきである。また、「機械読取り可能媒体」および「機械読取り可能記憶媒体」という用語は、マシンが実行するための命令セットを記憶し、符号化し、または伝送することができ、かつマシンに、現在開示している技術および技術革新の方法論のうちの任意の１つまたはそれ以上を実行させるあらゆる媒体を包含するようにも理解されるものとする。
【０１００】
概して、本開示の実施形態を実装するために実行されるルーチンは、オペレーティングシステムの一部、または「コンピュータプログラム」と称される命令の特定のアプリケーション、コンポーネント、プログラム、オブジェクト、モジュールまたはシーケンスとして実装されてもよい。コンピュータプログラムは、典型的には、コンピュータにおける様々なメモリおよび記憶デバイス内に様々な時点で設定される、かつ、コンピュータにおける１つまたは複数の処理ユニットまたはプロセッサにより読み取られて実行されると、コンピュータに、本開示の様々な態様に関わるエレメントを履行するためのオペレーションを実行させる１つまたは複数の命令を含む。
【０１０１】
さらに、実施形態は、完全に機能するコンピュータおよびコンピュータシステムのコンテキストで説明されているが、当業者には、様々な実施形態を様々な形態のプログラムプロダクトとして配布可能であること、および、本開示内容は、実際に配布を行うために使用される具体的なマシンまたはコンピュータ読取り可能媒体のタイプに関わりなく等しく当てはまること、が認識されるであろう。
【０１０２】
機械読取り可能記憶媒体、機械読取り可能媒体またはコンピュータ読取り可能（記憶）媒体のさらなる例には、とりわけ揮発性および不揮発性メモリデバイス、フロッピーおよび他のリムーバブルディスク、ハード・ディスク・ドライブ、光学ディスク（例えば、コンパクトディスク読取り専用メモリ（ＣＤ−ＲＯＭ）、デジタル・バーサタイル・ディスク（ＤＶＤ）、他）等の記録可能タイプの媒体、およびデジタルおよびアナログ通信リンク等の伝送型媒体が含まれるが、これらに限定されない。
【０１０３】
コンテキストが明らかに別段を必要としない限り、明細書本文および特許請求の範囲を通じて、「備える」、「備えている」およびこれらに類似する用語は、排他的または網羅的な意味とは反対の包括的な意味に、即ち、「を含むが、その限りではない」という意味に解釈されるべきである。本明細書で使用する「接続される」、「結合される」という用語またはその任意の変形は、直接であれ間接的であれ、２つ以上のエレメント間の任意の接続または結合を意味し、エレメント間のこの結合または接続は、物理的、論理的またはこれらの組合せであってもよい。さらに、「本明細書において」、「上述の」、「後述の」という言い回しおよびこれらに類似する含みを持つ用語は、本出願で用いる場合、本出願全体を指すものとし、本出願の何れの特定部分をも指すものではない。コンテキストが許せば、これまでに述べた詳細な説明において、単数または複数を用いた用語は、各々、複数または単数をも含み得る。２つ以上のアイテムによるリストに関連する「または」という用語は、次のような用語解釈の全て、即ち、リストにおけるアイテムのうちの何れか、リストにおけるアイテムの全て、およびリストにおけるアイテムのあらゆる組合せ、を全てカバーする。
【０１０４】
これまでに述べた本開示の実施形態の詳細な説明は、網羅的であること、または教示内容をこれまでに開示した正確な形態に限定することを意図するものではない。本開示の特有の実施形態および実施例に関するこれまで説明は、例示を目的とするものであり、関連の当業者には認識されるように、開示の範囲内で様々な均等の変更が可能である。例えば、プロセスまたはブロックを所定の順序で提示しているが、代替実施形態は、ステップを有するルーチンを異なる順序で実行しても、ブロックを有するシステムを異なる順序で採用してもよく、かつ、幾つかのプロセスまたはブロックは、代替例または部分的組合せを提供するために削除され、移動され、追加され、細分され、組み合わされかつ／または変更されてもよい。これらのプロセスまたはブロックは各々、様々な異なる方法で実装されてもよい。また、プロセスまたはブロックも時として連続して実行されるように示されているが、これらのプロセスまたはブロックは、代わりに並行して実行されても、異なる時間に実行されてもよい。さらに、本明細書に記載されている特有の数字は、何れも単なる例であり、代替実装は、異なる値または範囲を採用してもよい。
【０１０５】
本明細書で行った開示の教示内容は、必ずしもこれまでに述べたシステムではなく、他のシステムに適用することができる。これまでに述べた様々な実施形態のエレメントおよび行動は、さらなる実施形態を提供するために組み合わせることができる。
【０１０６】
添付の出願書類に記載されている可能性のあるものを含む、先に述べた特許および出願および他の引例は何れも、参照により開示に含まれる。本開示の態様は、必要に応じて、本開示のさらなる実施形態を提供するために、先に述べた様々な引例のシステム、機能および概念を採用するように変更されることが可能である。
【０１０７】
本開示に対しては、上述の詳細な説明に鑑みて、これらの、および他の変更を行うことができる。先の説明は、本開示の所定の実施形態を記述し、かつ企図された最良の態様について記述しているが、明細書における説明が如何に詳細であっても、教示内容は、多くの方法で実施することができる。システムの詳細は、その実装の詳細において大幅に変わり得るが、なおも本明細書に開示する主題に包含される。先に述べたように、本開示の所定の特徴または態様を説明する際に使用される特定の用語は、その用語法が本明細書において、その用語法が関連づけられる本開示の何れかの特有の特性、特徴または態様に限定されるように定義し直されることを含意するものとして理解されるべきではない。概して、添付の特許請求の範囲で使用される用語は、先の詳細な説明の項目がこうした用語を明示的に定義していない限り、開示内容を、本明細書に開示している特有の実施形態に限定するものと解釈されるべきではない。したがって、本開示の実際の範囲は、開示された実施形態だけでなく、請求の範囲に基づく開示内容を実施または実装するすべての均等方法も包含する。
【０１０８】
以下、本開示の所定の態様を、所定のクレーム形式で提示するが、発明者らは、開示の様々な態様を任意数のクレーム形式で企図している。例えば、特許法第１１２条第６段落に基づく手段プラス機能クレームとして開示の態様を１つだけ記載しているが、他の態様が、同様に手段プラス機能クレームとして具現されても、または、コンピュータ読取り可能媒体において具現される等、他の形式で具現されてもよい。（米国特許法第１１２条第６段落に基づいて扱われることが意図されるクレームは、全て、「ｍｅａｎｓ  ｆｏｒ（するための手段）」という用語で始まる。）したがって、出願人は、開示の他の態様に関してこのような追加的なクレーム形式を続行するために、出願後も追加クレームを加える権利を留保する。
【０１０９】
本明細書で行った詳細な説明は、必ずしもこれまでに述べたシステムだけではなく、他のシステムに適用されてもよい。これまでに述べた様々な実施例のエレメントおよび行動は、本発明のさらなる実装を提供するために組み合わせることができる。本発明の幾つかの代替実装は、これまでに述べた実装に対する追加エレメントを含むだけでなく、より少ないエレメントを含んでもよい。本発明には、先に述べた詳細な説明に鑑みて、これらの、および他の変更を行うことができる。先の説明は、本発明の所定の実施例を規定し、かつ企図された最良の態様について記述しているが、明細書における説明が如何に詳細であっても、本発明は、多くの方法で実施することができる。システムの詳細は、その特有の実装において大幅に変わり得るが、なおも本明細書に開示する発明に包含される。先に述べたように、本発明の所定の特徴または態様を説明する際に使用される特定の用語は、その用語法が本明細書において、その用語法が関連づけられる本発明の何れかの特有の特性、特徴または態様に限定されるように定義し直されることを含意するものとして理解されるべきではない。概して、添付の特許請求の範囲で使用される用語は、先の詳細な説明の項目がこうした用語を明示的に定義していない限り、本発明を、本明細書に開示している特有の実施例に限定するものと解釈されるべきではない。したがって、本発明の実際の範囲は、開示された実施例だけでなく、本発明を実施または実装するすべての均等方法も包含する。
【図１】
0006531180.tif 000002
【図２】
0006531180.tif 000003
【図３】
0006531180.tif 000004
【図４】
0006531180.tif 000005
【図５Ａ】
0006531180.tif 000006
【図５Ｂ】
0006531180.tif 000007
【図６】
0006531180.tif 000008
【図７】
0006531180.tif 000009
【図８】
0006531180.tif 000010
【図９】
0006531180.tif 000011
【図１０】
0006531180.tif 000012
【図１１】
0006531180.tif 000013
【図１２Ａ】
0006531180.tif 000014
【図１２Ｂ】
0006531180.tif 000015
【図１３】
0006531180.tif 000016
【図１４Ａ】
0006531180.tif 000017
【図１４Ｂ】
0006531180.tif 000018
【図１５】
0006531180.tif 000019
【図１６】
0006531180.tif 000020